(57)【特許請求の範囲】
【請求項１】
固定した支持具に支持させた移乗用板を、浴槽の洗い場側から反対側へ向かう左右方向に沿う開口縁部の上に起立する待機状態から浴槽の前後方向に沿う左右の開口縁部に跨がって伏倒する使用状態まで揺動可能且つ左右移動不能とした移乗用板付き入浴装置において、
移乗用板は、揺動中心側の左右方向に沿う縁面より外側へ突出しない内側の位置に、左右方向へ延びる支持軸を設け、
支持具は、揺動中の移乗用板の上記縁面を浴槽の左右方向に沿う開口縁部に摺動案内させるように、揺動中の移乗用板の支持軸を上下移動自在に案内しつつ支持軸の前後方向の移動を規制する縦長凹部を設け、使用状態における支持軸を縦長凹部の底面に当接させないようにした
ことを特徴とする移乗用板付き入浴装置。
【請求項２】
前記支持具及び前記支持軸を左右両側寄りに各々設けると共に、左右両側の支持具に対して左右両側の支持軸を着脱自在とし、左側の支持軸から移乗用板の最外側の左側縁面までの寸法と、右側の支持軸から移乗用板の最外側の右側縁面までの寸法とが異なる請求項１記載の移乗用板付き入浴装置。
【請求項３】
前記浴槽に近接する壁面又は浴槽に対して前記支持具を着脱自在に配置した請求項１又は２記載の移乗用板付き入浴装置。
【発明の詳細な説明】
【技術分野】
【０００１】
本発明は、入浴者が洗い場側から浴槽内へ出入りするときに腰掛けできる移乗用板を、浴槽の開口縁部に跨がって配置できるようにした移乗用板付き入浴装置に関するものである。
【背景技術】
【０００２】
従来の移乗用板付き入浴装置１は、図１１に示す如く、浴室壁面Ｗに取付けた支持具２に回動連結具３を介して支持した移乗用板４を、浴槽５の洗い場側から反対側へ向かう左右方向に沿う開口縁部５ａの上に起立する待機状態Ｆから浴槽４の前後方向に沿う左右の開口縁部５ｂ，５ｃに跨がって伏倒する使用可能状態Ｇまで揺動可能且つ左右移動不能としたものである（特許文献１）。そして、回動連結具３は、移乗用板４の基端部４ａに固定した回動部６と、支持具２に連結した固定部７と、固定部７に回動部６を枢支させる支持軸８とからなっている。
【先行技術文献】
【特許文献】
【０００３】
【特許文献１】特開２００２−１７５９４号公報
【発明の概要】
【発明が解決しようとする課題】
【０００４】
ところで、従来の移乗用板付き入浴装置１は、浴室壁面Ｗに対する支持具２の取付け誤差等により、使用可能状態Ｇの移乗用板４の基端部寄りと浴槽５の左右の開口縁部５ｂ，５ｃとの間に隙間を生じたとき、移乗用板４に腰掛けた使用者の体重の一部からなる大きな荷重が回動連結具３及び支持具２を介して浴室壁面Ｗに伝達するため、浴室壁面Ｗに対する支持具２の取付け及び移乗用板４の基端部４ａに対する回動部６の取付けを、大きな荷重に耐えるようにする必要がある。このため、従来の移乗用板付き入浴装置１は、支持具２及び回動部６の取付けを強固にする対応が必要であり、この対応が採れないとき施工することができない問題が生じる。
【０００５】
本発明は、上記問題を解決するために、使用可能状態の移乗用板に腰掛けた使用者の体重を浴槽の開口縁部のみで支持するようにした移乗用板付き入浴装置の提供を目的とする。
【課題を解決するための手段】
【０００６】
上記問題を解決するために請求項１記載の本発明が採用した手段は、図１に示す如く、固定した支持具１２，１３に支持させた移乗用板１４を、浴槽１５の洗い場側から反対側へ向かう左右方向に沿う開口縁部１５ａの上に起立する待機状態Ｆ（図２（Ｂ）参照）から浴槽１５の前後方向に沿う左右の開口縁部１５ｂ，１５ｃに跨がって伏倒する使用状態Ｇまで揺動可能且つ左右移動不能とした移乗用板付き入浴装置１１において、移乗用板１４は、揺動中心側の左右方向に沿う縁面１４ｄより外側へ突出しない内側の位置に、左右方向へ延びる支持軸１６，１６を設け、支持具１２，１３は、揺動中の移乗用板１４の上記縁面１４ｄを浴槽１５の左右方向に沿う開口縁部１５ａに摺動案内させるように、揺動中の移乗用板１４の支持軸１６，１６を上下移動自在に案内しつつ支持軸１６，１６の前後方向の移動を規制する縦長凹部１２ａ，１３ａを設け、使用状態における支持軸１６，１６を縦長凹部１２ａ，１３ａの底面に当接させないようにした（図４（Ｂ）参照）ことを特徴とする移乗用板付き入浴装置である。
【０００７】
請求項１記載の本発明にあっては、使用可能状態の移乗用板の支持軸が縦長凹部の底面に当接しないため、浴槽の開口縁部に載る使用可能状態の移乗用板に腰掛けた使用者の体重を、浴槽の開口縁部のみで支持して支持軸及び支持具へ伝達させることがない。
【０００８】
なお、支持軸を移乗用板の上下面から外側へ突出させないようにするために、移乗用板の板厚みの範囲内に支持軸を設けることもある。また、使用しない移乗用板の撤去を簡単にできるようにするために、支持具の縦長凹部に上端開口部を形成し、この上端開口部を通じて縦長凹部へ支持軸を出し入れ可能に構成することもある。
【０００９】
撤去した移乗用板を再度使用するときに移乗用板の上下面の向きを間違わずに支持具に支持できるようにするために請求項２記載の本発明が採用した手段は、図１に示す如く、前記支持具１２，１３及び前記支持軸１６，１６を左右両側寄りに各々設けると共に、左右両側の支持具１２，１３に対して左右両側の支持軸１６，１６を着脱自在とし（図３（Ａ）参照）、図６（Ａ）に示す如く、左側の支持軸１６から移乗用板１４の最外側の左側縁面１４ｇまでの寸法Ｌ１と、右側の支持軸１６から移乗用板１４の最外側の右側縁面１４ｈまでの寸法Ｌ２とが異なる請求項１記載の移乗用板付き入浴装置である。
【００１０】
請求項２記載の本発明にあっては、移乗用板の上下面の向きを間違えて移乗用板を支持具に支持させようとしたとき、移乗用板の左右方向の位置が移乗用板の上下面の向きを間違えずに支持させたときの左右方向の位置から外れて相違するため、この間違を使用者や介護者等に気付かせることができる。
【００１１】
移乗用板を使用しないときに支持具の撤去ができるように請求項３記載の本発明が採用した手段は、前記浴槽１５に近接する壁面Ｗ又は浴槽１５に対して前記支持具１２，１３２を着脱自在に配置した（図４（Ａ）（Ｂ）及び図８（Ａ）（Ｂ）参照）請求項１又は２記載の移乗用板付き入浴装置である。
【００１２】
請求項３記載の本発明にあっては、移乗用板を使用する期間中には支持具を配置でき、移乗用板を使用しない期間中には支持具を撤去すことができるようになる。
【発明の効果】
【００１３】
請求項１記載の本発明に係る移乗用板付き入浴装置は、使用可能状態の移乗用板に腰掛けた使用者の体重を、支持軸及び支持具へ伝達させることがないため、支持軸及び支持具の取付けを強固にすることなく施工できる。
【００１４】
請求項２記載の本発明に係る移乗用板付き入浴装置は、移乗用板を支持具に支持させるときに、移乗用板の上下面の向きを間違わせないようにできる。
【００１５】
請求項３記載の本発明に係る移乗用板付き入浴装置は、移乗用板を使用しない期間中には邪魔となる不要な支持具を撤去することができる。
【図面の簡単な説明】
【００１６】
【図１】本発明に係る移乗用板付き入浴装置（以下、「本発明入浴装置」と言う。）の第１の実施の形態を示すものであって、図（Ａ）は支持具１２，１３に支持させた使用状態の移乗用板１４を実線で示すと共に折畳んだ状態の折畳み側１４Ｂを二点鎖線で示す平面図、図（Ｂ）はこれら状態の正面図である。
【図２】第１の実施の形態を示すものであって、図（Ａ）は支持具１２に支持させた移乗用板１４を折り畳んで仰伏させる途中を実線で示すと共に伏倒状態を二点鎖線で示す側面図、図（Ｂ）は折り畳んだ移乗用板１４を起立させた待機状態Ｆを示す側面図である。
【図３】第１の実施の形態を示すものであって、図（Ａ）は折り畳んだ起立状態の移乗用板１４を支持具１２から分離した状態を実線で示すと共に支持具１２に支持させた移乗用板１４を二点鎖線で示す断面した側面図、図（Ｂ）は図（Ａ）のｂ−ｂ線で断面した背面図である。
【図４】第１の実施の形態を示すものであって、図（Ａ）は浴室壁面Ｗから支持具１２を分離した状態を示す断面した側面図、図（Ｂ）は浴室壁面Ｗに支持具１２を取付けた状態を示すと共に伏倒した使用状態の移乗用板１４を二点鎖線で示す断面した側面図である。
【図５】第１の実施の形態における後方左側に配置する支持具１２を示すものであって、図（Ａ）は正面図、図（Ｂ）は側面図、図（Ｃ）は平面図、図（Ｄ）は背面図、図（Ｅ）は断面した側面図である。
【図６】第１の実施の形態における移乗用板１４を示すものであって、図（Ａ）は折り畳んでない展開状態を示す平面図、図（Ｂ）は同状態の側面図、図（Ｃ）は図（Ａ）のｃ−ｃ線で断面して支持軸１６の取付け状態を拡大して示す正面図、図（Ｄ）は支持軸１６の取付け状態を拡大して示す側面図、図（Ｅ）は図（Ａ）のｅ−ｅ線で断面して拡大した正面図である。
【図７】第１の実施の形態における移乗用板１４を示すものであって、図（Ａ）は図６（Ａ）のＶＩＩ−ＶＩＩ線で断面して拡大した接合部近辺の側面図、図（Ｂ）は折り畳んだ接合部近辺の側面図である。
【図８】第１の実施の形態において支持具１２を浴槽１５に取付ける態様を示すものであって、図（Ａ）は浴槽１５に取付けて固定配置した支持具１２から移乗用板１４を分離した状態を示す側面図、図（Ｂ）は浴槽１５から支持具１２を分離した状態を示す側面図である。
【図９】第１の実施の形態において浴槽１５の前後寄りのいずれにも移乗用板１４を配置できる態様を示す中間省略した平面図である。
【図１０】本発明入浴装置の第２の実施の形態を示すものであって、図（Ａ）は支持具３２，３３に支持させた移乗用板３４の使用状態を実線で示すと共に折り畳んだ状態を二点鎖線で示す平面図、図（Ｂ）は左側の支持具３２の拡大した平面図、図（Ｃ）は右側の支持具３３の拡大した平面図である。
【図１１】従来の移乗用板付き入浴装置を示すものであって、図（Ａ）は平面図、図（Ｂ）は側面図である。
【発明を実施するための形態】
【００１７】
（第１の実施の形態）
図１乃至図７に示す第１の実施の形態に係る本発明入浴装置１１は、図１に示す如く、固定した支持具１２，１３に支持させた移乗用板１４を、浴槽１５の洗い場側（浴槽内への出入り側）１５ｄから反対側１５ｅへ向かう左右方向に沿う開口縁部１５ａの上に起立する待機状態Ｆ（図２（Ｂ）参照）から浴槽１５の前後方向に沿う左右の開口縁部１５ｂ，１５ｃに跨がって伏倒する使用状態Ｇまで揺動可能且つ左右移動不能としたものである。移乗用板１４は、図１に示す伏倒した使用状態Ｇにおいて、左右の支持具１２，１３の縦凹部１２ａ，１３ａに移乗用板１４に設けた左右の支持軸１６，１６を挿着して前後移動を防止すると共に、左右の支持具１２，１３の間に移乗用板１４の揺動側の縁部１４ｋを挟み込ませて左右移動を防止し、更に、浴槽１５の開口縁部１５ａ，１５ｂ，１５ｃに移乗用板１４の揺動中心側の縁部１４ｋ及び左右の縁部１４ｍ，１４ｎを載せて上下移動させないようにしてある。
【００１８】
前記移乗用板１４は、図６に示す如く、発泡スチレン樹脂等で成形した厚み寸法Ｔ１が２０ｍｍ程度の芯材１８ａの両面側に繊維強化樹脂（ＦＲＰ）等で成形した厚さ寸法Ｔ２が２．０ｍｍ程度の補強用の表面材１８ｂ，１８ｂを接合した板状部１８と、板状部１８の外周縁部に嵌着したオレフィン系エラストマー等で成形したエッジ１９と、揺動中心側に設けた左右方向へ延びる左右の支持軸１６，１６とを備えている。移乗用板１４は、左右の支持軸１６，１６を、揺動中心側となる後方の左右方向に沿う縁面１４ｄより前方へ向かう内側に位置させることで、図２（Ａ）に示す如く、浴槽１５の開口縁部１５ａに縁面１４ｄを前後方向へ摺動させつつ揺動できるようにしてある。すなわち、移乗用板１４が揺動するときの瞬間中心は、移乗用板１４の縁面１４ｄと浴槽１５の開口縁部１５ａとの接触点であり、揺動に伴い前後方向へ移動することになる。
【００１９】
前記移乗用板１４は、図６に示す如く、揺動中心側となる基部側１４Ａと、基部側１４Ａに折り重ねることができる折畳み側１４Ｂとに区分すると共に、両側１４Ａ，１４Ｂを折曲げ可能に接合部１４Ｃで接合し、折り重ねて折り畳むことができるようにしてある。移乗用板１４は、図２に示すように折り畳むことで、左側の壁面Ｗに取付けられている手すり（図示省略）と衝突することなく仰伏揺動できるようになり、また、起立する待機状態Ｆ（図２（Ｂ）参照）での背丈を低くして立て掛け状態を安定させることができるようになる。移乗用板１４は、前後長さ寸法について、図６に示す基部側１４Ａを２５５ｍｍ程度にすると共に折畳み側１４Ｂを２００ｍｍ程度としてある。接合部１４Ｃは、図７に示す如く、両側１４Ａ，１４Ｂを形成する板状部１８，１８の対向する縁部に嵌着したオレフィン系エラストマー等で成形したエッジ２０，２１と、エッジ２０，２１の表面側を折曲げ自在に連結するように一体成形した連結部２２とからなる。エッジ２０，２１は、図７（Ａ）に示す如く、両者の接近する対面箇所に逃げ用段部２０ａ，２１ａを設けることで移乗用板１４の使用状態において指先等を挟まない挟み阻止用空間１４ｐを形成すると共に、エッジ２０，２１の上面側を連結部２２で連結することで、移乗する入浴者の尻部等をエッジ２０，２１の隙間に挟ませないようにして、安全性を確保してある。
【００２０】
前記左右の各支持軸１６は、図６（Ａ）（Ｃ）に示す如く、取付部１６ａ及び軸部１６ｂを備え、前記板状部１８の芯材１８ａの一部と置換した軸固定材１８ｃに取付部１６ａを挿着すると共に、軸部１６ｂを左右両側の支持具１２，１３に対して着脱自在としてある。また、各支持軸１６は、移乗用板１４の板厚み寸法Ｔ０の範囲内に設けられ、移乗用板１４の上下面１４ｅ，１４ｆから外側へ軸部１６ｂを突出させないようにしてある。更に、各支持軸１６は、軸部１６ｂの半径寸法について下面側（浴槽１５に面する側）半径Ｒ２を上面側（入浴者が座る側）半径Ｒ１に比べて小さくすることで、図４（Ｂ）に示すように移乗用板１４が伏倒した使用状態のときに、支持軸下面側を支持具１２，１３の縦長凹部１３ａ，１４ａの底面に接触させることなく浮かした状態にして、移乗用板１４を浴槽１５の開口縁部１５ａ，１５ｂ，１５ｃの上に確実に載置できるようにしてある。
【００２１】
前記移乗用板１４は、図６（Ａ）に示す如く、基部側１４Ａの左右の縁面１４ｇ，１４ｈについて揺動中心側となる後方へ行く程に内側へ偏倚させるように曲成し、左右の縁面１４ｇ，１４ｈの間の左右幅寸法について、基部側１４Ａの支持軸１６，１６を突設させる部分を折畳み側１４Ｂの部分に比べて短くしてある。また、移乗用板１４は、基部側１４Ａの左右に突出せた各支持軸１６の軸部１６ｂを、移乗用板１４の最外側の縁面となる折畳み側１４Ｂの左右の平行な縁面１４ｇ，１４ｈの間の範囲内に位置させることで、支持具１２，１３から分離して折り畳んだ状態で縁面１４ｇ，１４ｈのいずれか一方を下にした縦長状態で立て掛けたとき、立て掛け面に支持軸１６の軸部１６ｂを接触させることなく、立て掛けを安定せることができるようにしてある。
【００２２】
前記移乗用板１４は、図６（Ａ）に示す如く、左側の支持軸１６から移乗用板１４の最外側の左側縁面となる折畳み側１４Ｂの縁面１４ｇまでの寸法Ｌ１と、右側の支持軸１６から移乗用板１４の最外側の右側縁面となる折畳み側１４Ｂの縁面１４ｈまでの寸法Ｌ２とを異なるようにすることで、上下面１４ｅ，１４ｆの向きを間違えて支持具１２，１３に支持させようとしたとき、上下面１４ｅ，１４ｆの向きを間違えずに支持させたときの左右方向の位置から大きく外れるようにして、この間違を使用者や介護者等に気付かせるようにしてある。上下面１４ｅ，１４ｆの向きの間違は、図７（Ａ）に示す指挟み阻止用空間１４ｐが上面となり、指挟み阻止用空間１４ｐに尻部等を入り込ませて不快感を移乗者に与えることになるため、回避させる必要がある。
【００２３】
前記左右の支持具１２，１３は、図１（Ａ）に示す如く、左右対称の形状に形成され、縦長凹部１２ａ，１３ａを対向させるようにしてある。左右の支持具１２，１３は、図２に示すように移乗用板１４の揺動中心側の縁面１４ｄを浴槽１５の開口縁部１５ａに摺動案内させつつ移乗用板１４が揺動するときに、左右の支持軸１６，１６を縦長凹部１２ａ，１３ａで上下移動自在に案内しつつ前後方向の移動を規制すると共に、図４（Ｂ）に二点鎖線で示すように伏倒した使用状態の移乗用板１４の支持軸１６，１６を縦長凹部１２ａ，１３ａの底面に当接させないようにして、浴槽１５の開口縁部１５ａ，１５ｂ，１５ｃの上に移乗用板１４を載置（図１参照）できるようにしてある。左右の支持具１２，１３は、縦長凹部１２ａ，１３ａに上端開口部を形成し、図３（Ａ）（左側の支持具１２のみを示す図）に示す如く、この上端開口部を通じて縦長凹部１２ａ，１３ａへ支持軸１６，１６を出し入れ可能にしてある。
【００２４】
前記左右の支持具１２，１３の各々は、図３及び図４に示す如く、浴槽１５のフランジ部１５ｇに立設した壁パネル等からなる壁面Ｗに対して、取付具２３を介して着脱自在となっている。取付具２３は、支持具１２（１３）の後面側に形成した二個一組の逆Ｕ字状の係合部１２ｂ，１２ｂ（１３ｂ，１３ｂ）を着脱自在に係合させる二個一組のボタン状の係止部２４，２４と、係止部２４，２４を壁面Ｗに取付けて固定させるボルト・ナット２５とからなる。左右の支持具１２，１３は、二個一組の係止部２４，２４に二個一組の逆Ｕ字状の係合部１２ｂ，１２ｂ（１３ｂ，１３ｂ）を係合させることで、上下方向の位置を確定して前後方向及び左右方向の移動を阻止した状態で固定されることになり、また、移乗用板１４を使用しない期間中に、この係合を解いて撤去できるようにしてある。取付具２３は、支持具１２（１３）が撤去されても見栄えのよいよう、図４に示す如く、各係止部２４に化粧カバー２６を係合させる等して取付けてある。
【００２５】
前記左の支持具１２は、図５に示す如く、合成樹脂素材から成形され、前記係合部１２ｂ，１２ｂを形成した取付部１２ｈと、前記縦長凹部１２ａを形成した支持部１２ｇを備えている。支持部１２ｇは、縦長凹部１２ａの上端及び右端を開口させ、縦長凹部１２ａを形成する前後壁部１２ｃ，１２ｄどうしを底壁部１２ｅ及び左壁部１２ｆで連結して補強し、縦長凹部１２ａの底面を底壁部１２ｅで形成してある。前記右の支持具１３は、左の支持具１２と同様に支持部１３ｇに縦長凹部１３ａが形成され、縦長凹部１３ａの底面を底壁部で形成してある。固定配置した左右の支持具１２，１３は、図１に示す如く、縦長凹部１２ａ，１３ａに左右の支持軸１６，１６を挿入した移乗用板１４の左右両側の縁部１４ｍ，１４ｎを支持部１２ｇ，１３ｇで挟んで、移乗用板１４の左右方向への移動を防止することになる。
【００２６】
前記左の支持具１２は、図４に示すように壁面Ｗに対して着脱可能に配置固定できるようにする以外に、図８に示す如く、浴槽１５に対して着脱可能に配置固定できるようにすることも可能である。この場合、支持具１２は、下面側から係合用ピン１２ｐ，１２ｐを突設し、浴槽１５の開口縁部１５ａに開設した係合孔１５ｈ，１５ｈに係合用ピン１２ｐ，１２ｐを着脱可能に挿入して係合できるようにする。また、右の支持具１３は、図示は省略したが、左の支持具１２と同様に、下面側から係合用ピンを突設し、浴槽１５の開口縁部に開設した係合孔１５ｈ，１５ｈに係合用ピンを着脱可能に挿入して係合できるようにすることも可能である。なお、浴槽１５の係合孔１５ｈ，１５ｈは、支持具１２，１３が撤去されると、化粧用蓋（図示略）を挿着して水や埃の浸入を防止するとよい。
【００２７】
本発明入浴装置１１は、図２（Ｂ）に示す起立した待機状態の移乗用板１４が不意に転倒しないように、図示は省略したが、待機状態を維持させるためのストッパーを壁面Ｗ等に設けることもある。
【００２８】
本発明入浴装置１１は、図９に示す如く、使用者の障害の程度等に応じて移乗し易いようにするために、浴室の前後の壁面Ｗ，Ｗの各々に支持具１２，１３を取付けて浴槽１５の前後寄りのいずれにも移乗用板１４を配置できるようにすることもある。なお、支持具１２，１３は、図８に示すように浴槽１５の前後の開口縁部１５ａ，１５ａに取付けることもある。移乗用板１４の配置を変更するときには、平面状態で１８０度だけ回転させて前後方向の向きを変更するとよい。
【００２９】
本実施の形態に係る本発明入浴装置１１の使用方法は、図１に示す如く、移乗用板１４の基部側１４Ａに折畳み側１４Ｂを折り畳むことなく展開した状態で、移乗用板１４の左右の支持軸１６，１６を左右の支持具１２，１３の縦長凹部１２ａ，１３ａに挿入して支持させることで移乗用板１４を前後及び左右方向へ移動させない状態にすると共に、移乗用板１４の揺動側の縁部１４ｋ及び左右の縁部１４ｍ，１４ｎを浴槽１５の開口縁部１５ａ，１５ｂ，１５ｃに載せて移乗用板１４を上下移動しない使用可能状態にする。入浴するときには、先ず入浴者が洗い場側から移乗用板１４に腰掛け、次に腰掛けたままの状態で入用者の脚を洗い場側から浴槽１５の内側へ移動させ、続けて入用者の尻部を浴槽１５の内側へ移動させて入浴状態にする。逆に、湯上がりするときには、上記と逆の手順で行い、先ず入浴者の尻部を移乗用板１４に腰掛け、次に腰掛けたままの状態で入用者の脚を浴槽１５の内側から洗い場側へ移動させ、続けて移乗用板１４から立ち上がって浴槽１５から離れる。
【００３０】
移乗用板１４を使用しないときには、先ず図１に示すように移乗用板１４の基部側１４Ａに折畳み側１４Ｂを折り重ね、次に図２に示すように移乗用板１４の接合部１４Ｃの近辺を持ち上げて移乗用板１４を起立させて待機状態にする。また、移乗用板１４を長期間にわたって使用しないときには、移乗用板１４を持ち上げて移乗用板１４の左右の支持軸１６，１６を左右の支持具１２，１３の縦長凹部１２ａ，１３ａから出し、分離して折り畳んだ移乗用板１４を適当な場所で保管するとよい。なお、移乗用板１４は、移乗用として使用しないときに、図１に示すように展開した状態にして、風呂蓋の一部として使用することも可能である。
【００３１】
本発明入浴装置１１は、移乗可能状態の移乗用板１４の支持軸１６，１６が支持具１２，１３の縦長凹部１２ａ，１３ａの底面に当接しないため、浴槽１５の開口縁部１５ａ，１５ｂ，１５ｃに乗る使用可能状態の移乗用板１４に腰掛けた使用者の体重を、浴槽１５の開口縁部１５ａ，１５ｂ，１５ｃのみで支持して支持軸１６，１５及び支持具１２，１３へ伝達させることがないため、腰掛けた使用者の体重を支持軸１６，１５及び支持具１２，１３で支持する場合に比べて支持軸１６，１５及び支持具１２，１３の取付け強度を強固にする必要がなく、施工が簡単にできる。
【００３２】
（第２の実施の形態）
図１０に示す第２の実施の形態に係る本発明入浴装置３１が前記第１の実施の形態に係る本発明入浴装置１１（図１乃至図９参照) と相違する点は、四角形に形成した基部側３４Ａにおける揺動中心側の左右両側寄りに、縁面３４ｄから切り込んだ凹部３４ｑ，３４ｑを凹設すると共に各凹部３４ｑを左右へ横断する支持軸３６，３６を配設し、左右の支持具３２，３３の各縦凹部３２ａ，３３ａに左右の支持軸３６，３６の各軸部３６ｂを出入れ自在に挿着したことである。本発明入浴装置３１における該相違点以外の構成については、前記第１の実施の形態に係る本発明入浴装置１１と実質的に同一である。
【００３３】
各支持軸３６は、左右の取付部３６ａ，３６ａ及び中間の軸部３６ｂを備え、移乗用板１４を形成する板状部１８の芯材１８ａ（図６（Ｅ）参照））の一部と置換した左右の軸固定材１８ｃ，１８ｃに左右の取付部３６ａ，３６ａを取付けてある。左右の支持具３２，３３は、支持部３２ｇ，３３ｇに形成した縦凹部３２ａ，３３ａに各支持軸３６の中間の軸部３６ｂが出入れ自在に挿着するように、縦凹部３２ａ，３３ａの左右両側を開口させてある。
【００３４】
前記移乗用板３４は、前記移乗用板１４（図６（Ａ）参照）と同様に、左側の支持軸３６から移乗用板３４の左側縁面３４ｇまでの寸法Ｌ１と、右側の支持軸３６から移乗用板３４の右側縁面３４ｈまでの寸法Ｌ２とを異なるようにすることで、上下面の向きを間違えて支持具３２，３３に支持させようとしたとき、上下面の向きを間違えずに支持させたときの左右方向の位置から大きく外れるようにして、この間違を使用者や介護者等に気付かせるようにしてある。
【符号の説明】
【００３５】
１１（３１）…本発明入浴装置、１２（３２）…左側の支持具、１２ａ（３２ａ）…縦長凹部、１２ｂ…係合部、１２ｃ，１２ｄ（３２ｃ，３２ｄ，３３ｃ，３３ｄ）…前後壁部、１２ｅ（３２ｅ，３３ｅ）…底壁部、１２ｆ…左壁部、１２ｇ（３２ｇ）…支持部、１２ｈ（３２ｈ）…取付部、１２ｐ…係合用ピン、１３（３３）…右側の支持具、１３ａ（３３ａ）…縦長凹部、１３ｂ…係合部、１３ｇ（３３ｇ）…支持部、１４（３４）…移乗用板、１４Ａ（３４Ａ）…基部側、１４Ｂ（３４Ｂ）…折畳み側、１４Ｃ（３４Ｃ）…接合部、１４ｄ（３４ｄ）…揺動中心側の縁面、１４ｅ…上面、１４ｆ…下面、１４ｇ（３４ｇ）…左側縁面、１４ｈ（３４ｈ）…右側縁面、１４ｋ（３４ｋ）…揺動中心側の縁部、１４ｍ（３４ｍ）…左側縁部、１４ｎ（３４ｎ）…右側縁部、１４ｐ…指挟み阻止用空間、１５…浴槽、１５ａ…左右方向に沿う後方の開口縁部、１５ｂ…前後方向に沿う左側の開口縁部、１５ｃ…前後方向に沿う右側の開口縁部、１５ｄ…洗い場側、１５ｅ…反対側、１５ｇ…フランジ部、１５ｈ…係合用孔、１６（３６）…支持軸、１６ａ（３６ａ）…取付部、１６ｂ（３６ｂ）…軸部、１８…板状部、１８ａ…芯材、１８ｂ…表面材、１８ｃ…軸固定材、１９…エッジ、２０…基部側１４Ａのエッジ、２０ａ…逃げ用段部、２１…折畳み側１４Ｂのエッジ、２１ａ…逃げ用段部、２３…取付具、２４…係止部、２５…ボルト・ナット、２６…化粧カバー、Ｗ…浴室壁面、Ｆ…待機状態、Ｇ…使用可能状態、Ｔ０……移乗用板の板厚み、Ｔ１……芯材厚み、Ｔ２……表面材厚み、Ｌ１…左側の支持軸１６から移乗用板の左側縁面１４ｇまでの寸法、Ｌ２…右側の支持軸１６から移乗用板の右側縁面１４ｈまでの寸法、Ｒ１…軸部１６ｂの表面側半径、Ｒ２…軸部１６ｂの裏面側半径
【図１】
0005424906.tif 000002
【図２】
0005424906.tif 000003
【図３】
0005424906.tif 000004
【図４】
0005424906.tif 000005
【図５】
0005424906.tif 000006
【図６】
0005424906.tif 000007
【図７】
0005424906.tif 000008
【図８】
0005424906.tif 000009
【図９】
0005424906.tif 000010
【図１０】
0005424906.tif 000011
【図１１】
0005424906.tif 000012